(57)【要約】アクセス端末によって動的逆リンク制御および、前記アクセス端末による逆リンクレートの変化の帯域内シグナリングを容易にするシステムおよび方法が開示されている。
2009520385.tif 000002
【特許請求の範囲】
【請求項１】
アクセス端末であって、
前記アクセス端末において決定されるチャネル条件に少なくとも一部基づいて新たなレートを決定し、前記新たなレートがアクセスポイントによって表示されるレートと同一かを決定し、前記新たなレートが前記表示されたレートと異なる場合、前記アクセスポイントに移行されるパケットにおいて使用されている前記新たなレートの表示を指示するよう構成されたプロセッサと、
前記プロセッサに結合されるメモリと
を具備するアクセス端末。
【請求項２】
前記プロセッサはパケットフォーマットを決定することにより前記新たなレートを決定するよう構成された、請求項１に記載の装置。
【請求項３】
前記プロセッサはスペクトル効率を決定することにより前記新たなレートを決定するよう構成された、請求項１に記載の装置。
【請求項４】
前記プロセッサは前記新たなレートで前記新たなレートの前記表示を有する前記パケットの送信を指示するよう構成された、請求項１に記載の装置。
【請求項５】
前記プロセッサは前記新たなレートで前記新たなレートの表示なしで他のパケットを送信する一方、前記アクセス端末から送信される少なくとも１のパケットにおいて前記新たなレートの表示を指示するよう更に構成された、請求項１に記載の装置。
【請求項６】
前記表示は前記パケットのヘッダにおいて送信される、請求項１に記載の装置。
【請求項７】
前記プロセッサは前記アクセス端末から前記新たなレートに従って送信される各パケットの前記新たなレートの表示を指示するようさらに構成された、請求項１に記載の装置。
【請求項８】
前記メモリは異なるチャネル条件のレートを表示するルックアップテーブルを具備し、前記プロセッサは前記ルックアップテーブルを用いて前記新たなレートを決定するようさらに構成された、請求項１に記載の装置。
【請求項９】
前記パケットはＭＡＣパケットである、請求項１に記載の装置。
【請求項１０】
前記メモリは前記表示されたレートを格納するよう構成され、前記プロセッサは前記表示されたレートを前記メモリから読み出すようさらに構成された、請求項１に記載の装置。
【請求項１１】
アクセス端末において、逆リンク送信の新たなレートを決定すること、
前記新たなレートが逆リンク送信のアクセスポイントによって表示されるレートと異なるかを決定すること、そして
前記新たなレートが異なる場合、前記新たなレートのインジケータを前記パケットにおいて表示するパケットを送信すること
を含む方法。
【請求項１２】
前記新たなレートを決定することは、前記新たなレートを提供するパケットフォーマットを決定することを含む、請求項１１に記載の記方法。
【請求項１３】
前記新たなレートを決定することは、前記新たなレートを決定するためにスペクトル効率を決定することを含む、請求項１１に記載の方法。
【請求項１４】
送信することは前記パケットのヘッダにおいてインジケータを送信することを含む、請求項１１に記載の前記方法。
【請求項１５】
前記新たなレートに従って前記パケットを変調することをさらに含む、請求項１４に記載の方法。
【請求項１６】
送信することは少なくとも１のパケットのヘッダにおいてインジケータを送信することと、前記複数のパケットの前記インジケータを含まない前記新たなレートで複数の他のパケットを送信することを含む、請求項１１に記載の方法。
【請求項１７】
送信することは、前記新たなレートで送信される各パケットのヘッダにおいてインジケータを送信することを含む、請求項１１に記載の方法。
【請求項１８】
逆リンク送信の新たなレートを決定する手段と、
前記新たなレートが逆リンク送信のアクセスポイントによって表示されるレートと異なるかを決定する手段と、
前記新たなレートが異なる場合、前記新たなレートのインジケータを前記パケットにおいて表示するパケットを送信する手段とを具備するアクセス端末。
【請求項１９】
前記送信する手段は、前記パケットのヘッダにおいて前記インジケータを送信する手段を具備する、請求項１７に記載の装置。
【請求項２０】
前記新たなレートに従って前記パケットを変調する手段を更に具備する、請求項１９に記載の装置。
【請求項２１】
前記送信する手段は、少なくとも１のパケットのヘッダにおいて前記インジケータを送信する手段と、前記複数の他のパケットにおいて前記インジケータを含まない前記新たなレートで複数の他のパケットを送信する手段とを具備する、請求項１７に記載の装置。
【請求項２２】
前記送信する手段は前記新たなレートで送信される各パケットのヘッダにおいてインジケータを送信する手段を具備する、請求項１７に記載の装置。
【請求項２３】
前記パケットの送信に割り当てられるレートと異なる送信レートを識別する部分を含む、無線ネットワークの送信用パケット。
【請求項２４】
前記部分は前記パケットのヘッダにある、請求項２３に記載のパケット。
【請求項２５】
前記パケットはＭＡＣパケットである、請求項２３に記載のパケット。
【請求項２６】
前記レートはパケットフォーマットを具備する、請求項２３に記載のパケット。
【発明の詳細な説明】
【技術分野】
【０００１】
［関係する出願への相互参照］
本出願は、全体的に参照することにより本書に組み込まれる、２００５年１０月２７日提出の「移動無線下位ＭＡＣを提供する方法および装置」とタイトルをつけられた米国仮特許出願番号６０／7３１０２８および、２００５年１０月２７日提出の「移動広帯域無線上位ＭＡＣを提供する方法」とタイトルをつけられた米国仮特許出願番号６０／７３１０３７の優先権を主張する。
【背景技術】
【０００２】
［分野］
本開示は一般的にはデータ通信に関し、さらに詳しくは通信システムのレートシグナリング（rate signaling）に関するものである。
【０００３】
［背景］
無線多元アクセス通信システムは順および逆リンクで複数の端末と同時に通信することができる。順リンク（あるいはダウンリンク）は基地局から端末への通信リンクを参照し、逆リンク（アップリンク）は端末から基地局への通信リンクを参照する。複数の端末は逆リンクでデータを同時に送信し、および／または順リンクでデータを受信する。これは時間、周波数および／またはコードドメインにおいて互いに直交するよう各リンクの送信を多重化することによりしばしば達成される。
【０００４】
端末はシステム全体に分布され、異なるチャネル条件（channel condition ;たとえば異なるフェーディング、マルチ経路および干渉効果）を経験する。結果として、それらの端末は異なる信号対雑音および干渉レート（ＳＩＮＲｓ;signal-to-noise-and-interference ratios）を達成する。トラフィックチャネルのＳＩＮＲは、トラフィックチャネルで確実に送信される特定のデータレートによって典型的に定量化されるその送信能力を決定する。ＳＩＮＲが端末間で異なると、サポートされているデータレートもまた端末間で異なる。さらに、チャネル条件は典型的に経時変化するので、端末についてサポートされているデータレートもまた経時変化する。
【０００５】
レート制御は多元アクセス通信システムにおける主たる課題である。レート制御は端末のチャネル条件に基づく各端末のデータレートの制御を必要とする。レート制御のゴールはターゲットのパケットエラー率（ＰＥＲ;packet error rate）および／またはいくつかの他の基準によって定量化される、一定の品質目標に合致しつつ、全体の処理量を最大化することである。
【０００６】
従って、多元アクセス通信システムにおいてレート制御を効果的に実行する技術が本分野において必要である。
【発明の開示】
【０００７】
［概要］
そのような実施例の基礎的理解を提供するために１以上の実施例の単純化された要約を以下に提示する。この要約は全ての意図された実施例の広範囲の概要ではなく、全実施例の鍵となるあるいは重要な要素を特定することを意図せず、またいくつかのあるいは全ての実施例の範囲を描写することを意図していない。この唯一の目的は、後に提示されるさらに詳細な説明の前兆として単純化された形の１以上の実施例のいくつかのコンセプトを提示することである。
【０００８】
１側面によると、方法は、アクセス端末（access terminal）において逆リンク送信の新たなレートを決定することと、新たなレートが逆リンク送信のアクセスポイントによって表示されるレートと異なるかを決定することと、新たなレートが異なる場合、レートのインジケータ(indicator)を含むパケットを送信することとを具備する。
【０００９】
他の側面によると、アクセス端末はアクセス端末において決定されるチャネル条件に少なくとも部分的に基づいて新たなレートを決定し、新たなレートがアクセスポイントによって表示されるレートと同一かを決定し、新たなレートが表示されたレートと異なる場合、送信されたパケットのヘッダにおいて新たなレートの表示を含むよう指示するよう構成されたプロセッサを具備する。プロセッサに結合されるメモリがあってもよい。
【００１０】
さらに他の側面によると、装置は、アクセス端末において逆リンク送信の新たなレートを決定する手段と、新たなレートが逆リンク送信のアクセスポイントによって表示されるレートと異なるかを決定する手段と、レートが異なる場合、新たなレートのインジケータを表示するパケットを送信する手段とを具備する。
【００１１】
前記および関連する目的の達成に、１以上の実施例はこの後に完全に記載され、請求項において特別に指摘された特徴を具備する。下記記載および添付の図面は１以上の実施例のある説明的側面を詳細に記載している。しかし、これらの側面は、様々な実施例の原理が用いられる様々な方法のいくつかを指摘しているにすぎず、記載されている実施は全てのそのような側面および同等物を含むことを意図されている。
【００１２】
［詳細な記載］
様々な実施例は、類似の参照番号が全体を通して類似の要素を参照するために使用されている図面を参照してこれから説明される。下記記載において説明の目的で多くの特定の詳細が１以上の実施例の完全な理解を提供するために記載される。しかし、そのような実施例はそれらの特定の詳細なしで実践されるという証拠である。他の例において、周知の構成および装置が１以上の実施例を記載することを容易にするためにブロックダイアグラムの形で示されている。
【００１３】
本出願において使用されるように、「構成要素」「システム」のような用語は、コンピュータ関係のエンティティ、ハードウエア、ハードウエアとソフトウエアの組み合わせ、ソフトウエアあるいは実施中のソフトウエアのいずれかを参照することを意図する。たとえば構成要素はプロセッサ上で実行中のプロセス、プロセッサ、オブジェクト、実行ファイル、実行のスレッド、プログラム、および／またはコンピュータでもよく、しかしそれらに限定されない。１以上の構成要素は実行のプロセスおよび／またはスレッド内にあり、構成要素は１のコンピュータに位置され、および／または２以上のコンピュータ間に分布される。また、それらの構成要素はそこに保存される様々なデータ構成を有する様々なコンピュータ可読媒体から実行可能である。構成要素は１以上のデータパケット（たとえばローカルシステム、分布システム内の、および／または信号によるその他のシステムを用いたインターネットのようなネットワークに渡る、もう１つの構成要素と連動する１の構成要素からのデータ）を有する信号に従うような、ローカルおよび／または遠隔プロセスを用いて通信する。
【００１４】
さらに、様々な実施例が加入者ステーションと関連してここにおいて説明される。加入者ステーションはシステム、加入者ユニット、移動局、移動体、遠隔局、アクセスポイント、基地局、遠隔端末、アクセス端末、ユーザ端末、ユーザエージェント、ユーザ装置などとも呼ばれる。加入者ステーションは携帯電話、コードレス電話、セッション開始プロトコル（ＳＩＰ）電話、無線ローカルループ（ＷＬＬ）局、個人用携帯型情報端末（ＰＤＡ）、無線接続機能を有する手持ち式装置、あるいは無線モデムに接続される他の処理装置である。
【００１５】
さらにここに記載される様々な側面あるいは特徴は、標準的プログラミングおよび／または設計技術を用いた方法、装置あるいは製造物として実施される。ここにおいて使用される「製造物」という用語は、任意のコンピュータ可読装置、キャリアあるいは媒体からアクセス可能なコンピュータプログラムを含むことを意図する。たとえばコンピュータ可読媒体は磁気保存装置（たとえばハードディスク、フロッピー（登録商標）ディスク、磁気テープ・・・）、光学ディスク（たとえばコンパクトディスク（ＣＤ）、デジタル多機能ディスク（ＤＶＤ）・・・）、スマートカード、フラッシュメモリ装置（たとえばカード、スティック、キードライブ・・・）および読み出し専用メモリ、書き込み可能な読み出し専用メモリおよび電子的書き換え書き込み可能な読み出し専用メモリのような集積回路を含むことができるが、それらに限定されない。
【００１６】
図１を参照すると、１の実施例に従った多元アクセス無線通信システムが図示されている。多元アクセス無線通信システム１はたとえばセル２、１０４および１０６のような複数のセルを含む。図１において、各セル２、４および６は複数のセクタを含むアクセスポイントを含む。複数のセクタは、それぞれがセルの一部においてアクセス端末との通信を担当するアンテナのグループによって構成される。セル２において、アンテナグループ１２、１４および１６はそれぞれ異なるセクタに対応する。セル４において、アンテナグループ１８、２０および２２はそれぞれ異なるセクタに対応する。セル６において、アンテナグループ２４、２６および２８はそれぞれ異なるセクタに対応する。
【００１７】
各セルは各アクセスポイントの１以上のセクタと通信中のいくつかのアクセス端末を含む。たとえばアクセス端末３０および３２はアクセスポイント局４２と通信中であり、アクセス端末３４および３６はアクセスポイント４４と通信中であり、アクセス端末３８および４０はアクセスポイント４６と通信中である。
【００１８】
コントローラ５０はセル２、４および6のそれぞれと結合される。コントローラ５０は、たとえばインターネット、他のパケットベースのネットワーク、あるいは多元アクセス無線通信システム１のセルと通信中のアクセス端末へおよびから情報を提供する回路切替音声ネットワークのような複数のネットワークへの１以上の結合を含む。コントローラ５０はアクセス端末からおよびへの送信をスケジュールするスケジューラを含む、あるいは結合される。他の実施例において、スケジューラは個々のセル、セルの各セクタ、あるいはそれらの組み合わせに常駐する。
【００１９】
図１はたとえば異なるセクタの異なるアンテナグループを有する物理的セクタを描写しているが、他のアプローチを使用可能であることを特筆しておく。たとえば周波数空間におけるセルの異なるエリアを夫々カバーする複数の固定「ビーム」の使用は物理的セクタの代りに、あるいは組み合わせて使用可能である。このようなアプローチは、参照することにより本書に組み込まれる、「セルラー方式における適応セクタ化」とタイトルをつけられた係属中の米国特許出願番号１１／２６０８９５において描写および記載されている。
【００２０】
アクセス端末からセクタあるいはセルへの逆リンクの送信は時間および周波数において多重化される。任意のアクセス端末の逆リンク送信は連続したサブキャリア、連続したＯＦＤＭシンボル、グループサブキャリアおよびＯＦＤＭシンボルに対応するリソースを具備するブロック、あるいはフレームあるいは送信期間全体に広がる個々のシンボルを構成する。ある側面においてそれらの送信の割り当てはセルあるいはセクタから受信される逆リンク割り当てブロック（Ｒ−ＬＡＢ;reverse link assignment block）を介して受信される。しかし、たとえばユニキャスト、ブロードキャスト、マルチキャスト、インプリシット、リアルタイム、トークンなどのような他の割り当てスキームが使用可能である。
【００２１】
さらにいくつかの側面において、割り当ては物理的リソースにマッピングする論理的リソースを識別する。いくつかの側面において、論理的リソースはチャネルツリーノード及びインターレースのセットによって特定される。しかし、他の割り当て識別子を使用可能である。加えて、割り当ては「厄介」である（たとえば割り当ては決定論的満了時を有するというよりむしろ時間に固執する）。
【００２２】
逆リンク通信用のたとえばパケットフォーマットのようなレートはＲ−ＬＡＢあるいは他のレート制御メッセージによって特定される。しかしいくつかの例において、アクセスポイントチャネル測定あるいはレート決定は正確ではない。たとえば干渉測定は不正確であるかもしれなく、あるいは旧式のパイロットあるいは他のチャネル情報からの情報に基づいているかもしれない。また、アクセス端末におけるバッファレベルは増加あるいは減少して、結果として送信されるべきデータ量が変化する。加えてアクセス端末に利用可能な、最高電力の機能である持続可能な電力レベルは変化してしまい、従って予想されるスペクトル効率（spectral efficiency）は変化してしまう。
【００２３】
このようなケースにおいて、アクセス端末はその逆リンク送信のレートを変化させたい。それをするために、アクセス端末はたとえばパケットフォーマットのような異なるレートを用いて変調しているデータと同じ送信においてそのレート変更を帯域内シグナリング（signal in-band）することができる。いくつかの側面において、それは送信している媒体アクセス制御（ＭＡＣ；medium access control）レイヤパケットのヘッダにおいてである。
【００２４】
ある側面において、パケットフォーマットは、確認が受領されない場合には、多数の再送信の試みとと共に提供され、そして初期と再送信の試みの両方に関するパケットフォーマットと共に提供される。典型的なこのフォーマットにおけるパケットフォーマットの表示は下記表１に示される。
【表１】
2009520385.tif 000003
【００２５】
パケットフォーマットインデックスはスペクトル効率と送信の最大数とデータパケットの各送信用に使用される変調フォーマットとを特定する。各パケットフォーマットはパケットフォーマットインデックスによってインデックスされる。変調フォーマットは変調オーダーにより表わされる各変調シンボルのビット数により特定される。２、３および４の変調オーダーはそれぞれＱＰＳＫ、８ＰＳＫおよび１６ＱＡＭに対応する。
【００２６】
パケットフォーマットは、サポート可能なスペクトル効率についての決定が検索あるいは決定されるチャネル条件を、そのようなチャネル条件下におけるレートに対して、検索することによりレート表示を決定することをアクセス端末に許可するために検索テーブルに保存される。
【００２７】
パケットフォーマットインデックス、変調オーダー、再送数およびスペクトル効率はレート決定において変化し、あるいは含まれず、従ってインデックスあるいは識別子によって示されないことをさらに特筆しておく。
【００２８】
図２Ａはアクセス端末による逆リンクレート表示を伝達する方法２００の側面を図示している。チャネル条件、パイロット信号、他の基準あるいはそれらの組み合わせに基づいてアクセス端末において逆リンク送信のレートについての決定がなされる、ブロック２０２。使用されるレート制御アルゴリズムは、Ｒ−ＬＡＢに提供されるレートを発生するためにアクセスポイントによって使用されるレート制御アルゴリズムと同一あるいは異なる。典型的なレート制御アルゴリズムは、それぞれが全体的に取り込まれる、「マルチチャネルＭＩＭＯシステムのレート制御」とタイトルをつけられた係属中の米国特許出願公開番号２００３０２３６０８０と、「マルチチャネル通信システムのレート制御」とタイトルをつけられた米国特許出願公開番号２００５０８８９５９と、「準直交通信システムのレート選択」とタイトルをつけられた米国特許出願番号１１／１５０４１７とに描写および開示されている。加えて、信号対雑音比、搬送波対干渉比、干渉統計、最大電力限定、あるいはローディングを含む他のチャネル条件変数を使用するマルチユーザシステムの他のレート制御アルゴリズムもレートを決定するために用いられることを特筆する。
【００２９】
アクセス端末はまた、アクセスポイントからＰ−ＬＡＢあるいは他のレート制御表示から決定されるたとえばパケットフォーマットインデックスのようなレート表示をメモリから読み出す、ブロック２０４。決定されたレート間で比較が行われる、ブロック２０６。レートが合致する場合、そのレートが逆リンク送信に用いられる、ブロック２０８。
【００３０】
レートが合致しない場合、使用されるレートはアクセス端末によって決定されるレートである、ブロック２１０。いくつかの場合、アクセス端末はいずれかのそのレート計算においてレートマージンを使用することができ、たとえばチャネル条件のさらに控えめな概算がレートを計算するために使用される。加えてあるケースにおいて、スペクトル効率が例えばＲ−ＬＡＢにおいてアクセスポイントによって示されるレートによって許可されるものよりも充分に大きい場合、アクセス端末は単に新たなパケットフォーマットを選択することができる。これらのパラメータはシステム設計によって設定することができ、あるいはレート変化に関係する統計、再送信、および時間にわたって収集されるパケットロスに並行して変化する。
【００３１】
レートに従って送信されているパケットにおける、レートのインジケータを含むメッセージは逆リンク送信のために用いられる、ブロック２１２。加えて、ある側面において、インジケータを含むパケットはそのレートで送信される必要はなく、そしてそのレートで送信されるべき未来のパケットのインジケータとしてアクセスポイントによって解釈されることができる。
【００３２】
いくつかのケースにおいて、アクセス端末において特定のレートで送信される各パケットは識別子を含む。一方、他のパケットはレートがレートインジケータを有するパケットのパケットＩＤと共に変化したことを表示するためにフラッグされるのに対し、唯一のパケット、あるいは潜在的に１以上のパケットは識別子を含む。さらに、１以上のパケットが、送信される全ての未来のパケットが同一のレートであるとのレート表示を含んで送信された後、そして基地局においてそのようにデーコードされるように、パケットは識別されあるいはシステムは設計される。これは一定期間中もしくはアクセスポイントによってあるいはアクセス端末において変化されるまでのいずれかである。
【００３３】
図２Ｂはアクセス端末による逆リンクレート表示を通信する装置２５０の側面を図示している。アクセス端末において逆リンク送信のレートを決定する手段２５２は、レートが逆リンク送信のアクセスポイントによって表示されるレートと異なるかを決定する手段２５４と通信中である。手段２５４はレートが異なる場合、そのレートでパケットを送信し、パケットにおいてレートのインジケータを表示する手段と通信中である。
【００３４】
図３はＭＡＣパケットの側面を図示している。一般的にＭＡＣパケットはＭＡＣヘッダとＭＡＣペイロードとＭＡＣトレイラとを含む。ＭＡＣペイロードは一般的にアクセスポイントへアクセス端末によって通信されているデータあるいは制御情報を含む。ＭＡＣトレイラはエラー修正あるいは他の情報を含む。
【００３５】
ＭＡＣヘッダは、レートが割り当てられたレートと異なるとアクセス端末によって特定されている際のパケットレート識別を含む、様々なシグナリングを含む。さらにヘッダはさらに、いくつかの、端末識別子、結合レイヤフォーマットメッセージ、暗号化キーに対する何らかの変化についての表示、例えばパケットレート識別子のような帯域内制御が含まれているかどうかを含むセッション情報を含むことができる。加えて、端末が識別される場合、セッションの通信パラメータを表示するセッション情報、アクセス情報およびいくつかの他の所望情報のうち１以上を含む。
【００３６】
ある側面において、帯域内制御はたとえばＲ−ＬＡＢによる指示された電力からのオフセット、逆リンク送信についてバッファされるメッセージの数、順あるいは逆リンクの１以上のストリームのサービスパラメータの品質、および／または送信されるパケットのレート表示のような電力制御情報を含む。
【００３７】
図４を参照すると、アクセスポイント１３０５における順リンク送信において、送信（ＴＸ）データプロセッサ１３１０はトラフィックデータを受信、フォーマット化、コード化、インターリーブおよび変調（あるいはシンボルマッピング）して、変調シンボル（「データシンボル」）を供給する。シンボル変調器１３１５はデータシンボルおよびパイロットシンボルを受信および処理して、シンボルのストリームを供給する。シンボル変調器１３２０は適切なサブキャリア上のデータおよびパイロットシンボルを多重化し、使用されないサブキャリア毎にゼロ信号値を供給し、シンボル期間毎にＮサブキャリアのＮ送信信号のセットを取得する。各送信シンボルはデータシンボル、パイロットシンボル、あるいはゼロの信号値である。パイロットシンボルは各シンボル期間において継続的に送信される。パイロットシンボルは時分割多重（ＴＤＭ）、周波数分割多重（ＦＤＭ）、直交周波数分割多重（ＯＦＤＭ）、符号分割多重（ＣＤＭ）などであることが望ましい。シンボル変調器１３２０はＮ時ドメインチップを含む「変形した」シンボルを取得するためにＮポイントＩＦＦＴを用いて時間ドメインにＮ送信シンボルの各セットを変形可能である。シンボル変調器１３２０は典型的には対応するシンボルを取得するために各変形シンボルの一部分を繰り返す。繰り返された部分は循環プレフィックスとして知られ、無線チャネルに広がる遅延を撲滅するために使用される。
【００３８】
送信機ユニット（ＴＭＴＲ）１３２０はシンボルのストリームを受信して１以上のアナログ信号に変換し、さらに無線チャネルを越えた送信に適する順リンク信号を生成するためにアナログ信号を適切化（たとえば増幅、フィルタリングおよび周波数上げ変換）する。順リンク信号はその後アンテナ１３２５を介して端末に送信される。端末１３３０において、アンテナ１３３５は順リンク信号を受信し、受信機ユニット（ＲＣＶＲ）１３４０に受信した信号を供給する。受信機ユニット１３４０は受信信号を適切化（たとえばフィルタリング、増幅および周波数下げ変換）し、サンプルを得るために適切化した信号をデジタル化する。シンボル復調器１３４５は各シンボルに付いている循環プレフィックスを除去し、各受信した変形シンボルをＮポイントＦＦＴを用いて周波数ドメインに変形し、シンボル周期毎にＮサブキャリアのＮ受信シンボルを取得し、チャネル予測のためにプロセッサ１３５０に受信したパイロットシンボルを供給する。シンボル復調器１３４５はさらにプロセッサ１３５０から順リンクの周波数応答予測を受信し、（送信されたデータシンボルの予測である）データシンボル予測を取得するために受信したデータシンボルにおいてデータ復調を実行し、送信されたトラフィックデータを回復するために、データシンボル予測を復調（たとえばシンボルデマッピング）し、デインタリーブし、デコードするＲＸデータプロセッサ１３５５にデータシンボル予測を提供する。シンボル復調器１３４５およびＲＸデータプロセッサ１３３５による処理はアクセスポイント１３００におけるそれぞれシンボル変調器１３１５およびＴＸデータプロセッサ１３１０による処理に対し補完的である。
【００３９】
逆リンクにおいて、ＴＸデータプロセッサ１３６０はトラフィックデータを処理し、データシンボルを供給する。シンボル変調器１３６５はデータシンボルを受信しパイロットシンボルと多重化し、変調を実行し、シンボルのストリームを供給する。パイロットシンボルは、逆リンクのパイロットサブキャリアの数が順リンクのパイロットサブキャリアの数と同一あるいは異なる、パイロット送信の端末１３３０に割り当てられたサブキャリアで送信される。送信機ユニット１３７０はその後アクセスポイント１３１０へアンテナ１３３５によって送信される逆リンク信号を生成するためにシンボルのストリームを受信して処理する。
【００４０】
アクセスポイント１３１０において、端末１３３０からの逆リンク信号がアンテナ１３２５によって受信され、サンプルを得るために受信機ユニット１３７５によって処理される。シンボル復調器１３８０はその後サンプルを処理し、受信したパイロットシンボルおよびデータシンボル予測を逆リンクに供給する。ＲＸデータプロセッサ１３８５は端末１３３５によって送信されるトラフィックデータを回復するためにデータシンボル予測を処理する。プロセッサ１３９０は逆リンクにおいて送信されるアクティブ端末毎にチャネル予測を実行する。
【００４１】
図１〜３に関して議論されるように、プロセッサ１３５０は逆リンク送信のレート選択を実行し、帯域内逆リンクレートインジケータを含むよう指示するよう構成される。
【００４２】
プロセッサ１３９０および１３５０はそれぞれアクセスポイント１３１０および端末１３３５における操作を指示（たとえば制御、調整、管理など）する。それぞれのプロセッサ１３９０および１３５０はプログラムコードおよびデータを格納するメモリユニット（図示せず）と関連可能である。プロセッサ１３９０および１３５０はそれぞれ逆リンクおよび順リンクの周波数およびインパルス応答予測を引き出すために演算を行うこともできる。
【００４３】
図５を参照すると、アクセスポイントはメインユニット（ＭＵ）１４５０および無線ユニット（ＲＵ）１４７５を具備することができる。ＭＵ１４５０はアクセスポイントのデジタルベースバンド構成要素を含む。たとえばＭＵ１４５０はベースバンド構成要素１４０５およびデジタル中間周波数（ＩＦ）処理ユニット１４１０を含むことができる。デジタルＩＦ処理ユニット１４１０はフィルタリング、チャネライズ、変調などのような機能を実行することにより中間周波数で無線チャネルデータをデジタル処理する。ＲＵ１４７５はアクセスポイントのアナログ無線パーツを含む。ここにおいて使用されるように、無線ユニットはアクセスポイント、あるいは移動切り替えセンタもしくは対応する装置に直接または間接接続する他のタイプの送受信機局のアナログ無線パーツである。無線ユニットは典型的に通信システムにおいて特定のセクタをサーブする。たとえばＲＵ１４７５は移動加入者ユニットからの無線通信を受信するもう１つのアンテナ１４３５ａ−ｔに接続される１以上の受信機１４３０を含むことができる。１の側面において、１以上の電力増幅器１４８２ａ−ｔは１以上のアンテナ１４３５ａ−ｔに接続される。受信機１４３０への接続はアナログデジタル（Ａ／Ｄ）変換機１４２５である。Ａ／Ｄ変換機１４２５は、受信機１４３０により受信されるアナログ無線通信を、デジタルＩＦ処理ユニット１４１０を介してベースバンド構成要素１４０５への送信用のデジタル入力に変換する。ＲＵ１４７５はアクセス端末への無線通信を送信する同一あるいは異なるアンテナ１４３５いずれかに接続される１以上の送信機１２０を含むこともできる。送信機１４２０への接続はデジタルアナログ（Ｄ／Ａ）変換機１４１５である。Ｄ／Ａ変換機１４１５はデジタルＩＦ処理ユニット１４１０を介してベースバンド構成要素から受信されるデジタル通信を移動加入者ユニットへの送信用にアナログ出力に変換する。いくつかの側面において、多重化装置１４８４はマルチチャネル信号を多重化し、そして音声信号とデータ信号とを含む様々な信号を多重化する。中央処理装置１４８０はメインユニット１４５０および、音声またはデータ信号の処理を含む様々な処理を制御する無線ユニットに接続される。
【００４４】
多元アクセスシステム（たとえば周波数分割多元アクセス（ＦＤＭＡ）システム、直交周波数分割多元アクセス（ＯＦＤＭＡ）システム、符号分割多元アクセス（ＣＤＭＡ）システム、時分割多元アクセス（ＴＤＭＡ）システムなど）に関して、複数の端末が逆リンクで同時に送信する。そのようなシステムについて、パイロットサブキャリアは異なる端末間で共用される。チャネル予測技術は、端末毎のパイロットサブキャリアが全体の操作帯域（出来る限りバンドエッジを除く）に及ぶ場合に使用される。このようなパイロットサブキャリア構造は端末毎の周波数多様性を取得するために望ましい。ここに記載の技術は様々な手段で実施される。たとえばこれらの技術はハードウエア、ソフトウエアあるいはそれらの組み合わせにおいて実施される。ハードウエアの実施に関して、チャネル予測用の処理ユニットは１以上の特定用途向け集積回路（ＡＳＩＣ）、デジタル信号プロセッサ（ＤＳＰ）、デジタル信号処理装置（ＤＳＰＤ）、プログラム可能な論理素子（ＰＬＤ）、ユーザ自身が書き込み可能なゲートアレイ（ＦＰＧＡ）、プロセッサ、コントローラ、マイクロコントローラ、マイクロプロセッサ、ここに記載の機能を実行するよう設計された他の電子ユニット、あるいはそれらの組み合わせにおいて実施される。ソフトウエアについて、実施はここに記載の機能を実行するモジュール（例えば手順、機能など）を介することができる。ソフトウエアコードはメモリユニットに格納され、プロセッサ１３９０および１３５０によって実行される。
【００４５】
上記されていることは１以上の実施例の例を含む。もちろん、上述の実施例を説明する目的で構成要素あるいは手法のあらゆる予想可能な組み合わせを記載することは不可能であるが、当業者は様々な実施例の多くの更なる組み合わせおよび置換が可能であることを認識しているであろう。従って記載の実施例はそのような代替、改良および変更が添付の請求項の精神および範囲内である全てを受け入れることを意図する。さらに「含む」という用語が詳細な説明あるいは請求項のいずれかに使用される程度まで、「具備する」が請求項における移行的なことばとして用いられるときに解釈されるので、このような用語は「具備する」という用語と同様に包含的であることを意図する。
【図面の簡単な説明】
【００４６】
【図１】図１は多元アクセス無線通信システムの側面を図示する。
【図２Ａ】図２Ａはアクセス端末による逆リンクレート表示を通信する方法の側面を図示する。
【図２Ｂ】図２Ｂはアクセス端末による逆リンクレート表示を通信する装置の側面を図示する。
【図３】図３はＭＡＣパケットの側面を図示する。
【図４】図４は無線通信システムにおける受信機および送信機の側面を図示する。
【図５】図５はアクセスポイントの側面を図示する。
【図１】
2009520385.tif 000004
【図２Ａ】
2009520385.tif 000005
【図２Ｂ】
2009520385.tif 000006
【図３】
2009520385.tif 000007
【図４】
2009520385.tif 000008
【図５】
2009520385.tif 000009
【国際調査報告】
2009520385.tif 000010
2009520385.tif 000011
2009520385.tif 000012